(57)【特許請求の範囲】
【請求項１】
通信端末において、
発信者端末からの発呼に応じて、通信可能範囲内に所定の識別情報が格納された無線タグが存在するか否かを判定する無線タグ検知手段と、
前記通信可能範囲内に前記無線タグが存在しないと判定した場合に、所定の転送先通信端末に前記所定の識別情報を送信して前記無線タグの検知依頼を行うとともに、前記発信者端末に前記無線タグの検知を依頼中であることを示す情報を送信する検知依頼手段と、
前記転送先通信端末から前記所定の識別情報を記憶した前記無線タグの存在を示す情報を受信すると、前記転送先通信端末に前記発信者端末からの発呼について転送を行う制御手段と、
を備える通信端末。
【請求項２】
複数の転送先通信端末とそれぞれの転送先通信端末に転送する優先順位を記憶する優先順位記憶手段を更に有し、
前記制御手段は、優先順位の高い転送先通信端末を選択して前記検知依頼手段に通知し、
前記検知依頼手段は、通知された転送先通信端末に前記所定の識別情報を送信し、
該制御手段は、該転送先通信端末から該無線タグの存在を検出できなかったことを示す情報を受信すると、次に優先順位の高い転送先通信端末を選択して該検知依頼手段に通知し、
該検知依頼手段は、通知された転送先通信端末に前記所定の識別情報を送信することを特徴とする請求項１記載の通信端末。
【請求項３】
他の通信端末から所定の識別情報を受信した場合に、該所定の識別情報を記憶した無線タグが存在するか否かを判定する無線タグ検知手段と、
前記無線タグ検知手段により前記無線タグが存在するか否かを確認中である旨を表示する表示手段と、
前記無線タグが存在すると判定すると、該無線タグの存在を示す情報を前記他の通信端末に送信する送信手段と、
を有することを特徴とする通信端末。
【請求項４】
発信者端末からの発呼に応じて、通信可能範囲内に所定の識別情報が格納された無線タグが存在するか否かを判定し、
前記通信可能範囲内に前記無線タグが存在しないと判定した場合に、所定の転送先通信端末に前記所定の識別情報を送信して前記無線タグの検知依頼を行うとともに、前記発信者端末に前記無線タグの検知を依頼中であることを示す情報を送信し、
前記転送先通信端末から前記所定の識別情報を記憶した前記無線タグの存在を示す情報を受信すると、前記転送先通信端末に前記発信者端末からの発呼について転送を行う、
ことを特徴とする通信端末における転送処理方法。
【請求項５】
他の通信端末から所定の識別情報を受信した場合に、該所定の識別情報を記憶した無線タグが存在するか否かを判定するとともに、前記無線タグが存在するか否かを確認中である旨を表示部に表示し、
前記無線タグが存在すると判定すると、該無線タグの存在を示す情報を前記他の通信端末に送信する、
ことを特徴とする通信端末における無線タグの存在確認制御方法。
【発明の詳細な説明】
【技術分野】
【０００１】
本発明は、携帯通信端末と、携帯通信端末に着信した電話を転送する方法に関する。
【背景技術】
【０００２】
携帯電話機の普及により、現在では誰でも携帯電話機を持っていることが一般化している。このため、連絡を取りたい相手の居場所が不明であっても、携帯電話機の電話番号さえ知っていれば、いつでもその相手に連絡が取れる、という安心感が得られる。携帯電話機に関しては、以下のような技術が知られている。
（１）着信時にユーザが不在の場合、無駄な着信報知動作により周囲の人に不快感を与えないようにする（例えば、特許文献１を参照）。
（２）携帯電話機等の移動体通信端末における動作モード等の設定をその使用状況に応じて自動的に変更する（例えば、特許文献２を参照）。
（３）携帯電話機の使用者が近くにいない場合には、電話機能に制限をかけて不正使用を防止する（例えば、特許文献３を参照）。
（４）認証入力の手間を省き、簡単なシステムで携帯電話機の利用者認証を可能とする（例えば、特許文献４を参照）。
（５）携帯端末装置と無線通信ユニットの距離が認証可能距離より短い警告距離になった時点で、使用者に対し所定の警告を行うことで、セキュリティを確保する（例えば、特許文献５を参照）。
【０００３】
また、ボタン電話の不在転送方法や、無線電話機を内線電話装置として使用する技術も知られている（例えば、特許文献６および７を参照）。
【特許文献１】特開２００５−３４１１８７号公報
【特許文献２】特開２００６−９４３９５号公報
【特許文献３】特開２００６−１０９３２６号公報
【特許文献４】特開２００５−１５９５６５号公報
【特許文献５】特開２００７−１８０８０４号公報
【特許文献６】特開２００６−７４１８１号公報
【特許文献７】特開２００７−２２８１９４号公報
【発明の開示】
【発明が解決しようとする課題】
【０００４】
しかしながら、上述した従来の携帯電話機には、次のような問題がある。
携帯電話機は常に携帯していれば、その所有者が着信状態を確認し、通話、保留等の操作が可能である。しかし、オフィス等では、携帯電話機をデスクの上に置いたままで、あるいはカバンの中に入れたままで、所有者が席を離れることがあり、緊急または重要な要件の着信があってもタイムリーに受話操作ができない場合がある。
【０００５】
このように、携帯電話機が生活の必需品となりつつある中で、携帯することにより様々な場所への置き忘れ等が多発する。携帯電話機を携帯しない状態が発生すると、その所有者に対してたちどころに連絡が取れなくなる。
【０００６】
本発明の課題は、所有者が携帯電話機のような携帯通信端末を携帯しない状態が発生した場合に、その所有者に連絡を取れるようにすることである。
【課題を解決するための手段】
【０００７】
本願に開示する受信者の通信端末は、無線タグ検知手段、検知依頼手段、および制御手段を備える。無線タグ検知手段は、発信者端末からの発呼に応じて、通信可能範囲内に所定の識別情報が格納された無線タグが存在するか否かを判定する。検知依頼手段は、通信可能範囲内に無線タグが存在しないと判定した場合に、所定の転送先通信端末に所定の識別情報を送信して無線タグの検知依頼を行うとともに、前記発信者端末に前記無線タグの検知を依頼中であることを示す情報を送信する。制御手段は、転送先通信端末から所定の識別情報を記憶した無線タグの存在を示す情報を受信すると、転送先通信端末に発信者端末からの発呼について転送を行う。
【０００８】
本願に開示する転送先の携帯通信端末は、無線タグ検知手段、表示手段および送信手段を備える。無線タグ検知手段は、他の通信端末から所定の識別情報を受信した場合に、所定の識別情報を記憶した無線タグが存在するか否かを判定する。表示手段は、無線タグ検知手段により無線タグが存在するか否かを確認中である旨を表示する。送信手段は、無線タグが存在すると判定すると、無線タグの存在を示す情報を他の通信端末に送信する。
【０００９】
受信者は、携帯通信端末とは別に無線タグを携帯しており、受信者の携帯通信端末は、その周囲に無線タグが存在しなければ、別の携帯通信端末に対して無線タグが存在するか否かを問い合わせる。そして、別の携帯通信端末の周囲に無線タグが存在すれば、受信者の携帯通信端末から別の携帯通信端末に電話が転送され、受信者は、発信者と通話することができる。
【発明の効果】
【００１０】
開示の携帯通信端末によれば、受信者が携帯通信端末を携帯しない状態が発生した場合でも、その周囲にある別の携帯通信端末に電話が転送され、発信者と受信者が通話できるようになる。
【発明を実施するための最良の形態】
【００１１】
以下、図面を参照しながら、本発明を実施するための最良の形態を詳細に説明する。
本実施形態では、携帯電話機の所有者ａがその携帯電話機を携帯していなくても、社員証のようなＩＤカード等を携帯しておくことで、電話を所有者ａの知人ｂの携帯電話機に転送するシステムを提供する。所有者ａがＩＤカードを携帯していれば、そのＩＤカードの周りにある知人ｂの携帯電話機に電話が転送され、発信者ｃは所有者ａに連絡を取ることができる。
【００１２】
このようなシステムを実現するために、携帯電話機は、転送モード設定機能を有する。また、所有者ａと知人ｂとの間では、あらかじめ、転送モードにより所有者ａから知人ｂへの電話転送について合意しているものとする。
【００１３】
所有者ａの携帯電話機と、所有者ａが身に付けているＩＤカードとの距離が一定距離を超えた場合、つまり所有者ａが携帯電話機を携帯していない状態か電話にでることができる近距離にいない場合に、所有者ａの携帯電話機に着信した電話が知人ｂの携帯電話機に転送される。また、転送モードであるため、発信者ｃには転送前に、知人ｂに転送する旨のメッセージが提示される。
【００１４】
ＩＤカードとしては、例えば、一定距離内の通信が可能なカード型の無線タグが用いられ、携帯電話機には、例えば、無線タグを認識するための検出部が実装される。携帯電話機は、無線タグまでの距離が近距離かどうかで、転送動作を制御する。
【００１５】
図１は、無線タグが携帯電話機の近くにある場合の通常モード／転送モードの着信動作を示している。無線タグ１０２は、例えば、アンテナ付きＩＣ（Integrated Circuit）チップであり、携帯電話機１０１からの検出信号を受信すると、保持している識別情報を含む応答信号を送信する。携帯電話機１０１と無線タグ１０２の距離が通信可能な範囲内で
あれば、携帯電話機１０１は、通常の着信動作を行う。
【００１６】
図２は、無線タグが携帯電話機から遠い場所にある場合の転送モードの着信動作を示している。この場合の動作シーケンスは、以下のようになる。
（１）発信者は、携帯電話機２０１から受信者の携帯電話機１０１に電話をかける。
（２）携帯電話機１０１は、受信者の無線タグ１０２に対して検出信号を送信し、通信可能範囲２１１内に無線タグ１０２が存在するか否かをチェックする。そして、無線タグ１０２からの応答信号を受信しないため、通信可能範囲２１１内に無線タグ１０２が存在しないと判断する。
（３）携帯電話機１０１は、無線タグ不在を示す情報を携帯電話機２０１に送信する。
（４）携帯電話機１０１は、転送先として登録されている携帯電話機２０２に、無線タグ１０２の検知を依頼する。
（５）携帯電話機２０２は、無線タグ１０２に対して検出信号を送信し、通信可能範囲２１２内に無線タグ１０２が存在するか否かをチェックする。
（６）携帯電話機２０２は、無線タグ１０２からの応答信号を受信し、通信可能範囲２１２内に無線タグ１０２が存在すると判断する。
（７）携帯電話機２０２は、無線タグ存在を示す情報を携帯電話機１０１に送信する。
（８）携帯電話機１０１は、携帯電話機２０２に、発信者からの電話の転送可否を問い合わせる。
（９）携帯電話機２０２は、受信者の知人である所有者に対して転送可否を問い合わせ、その所有者は、転送可であれば受話操作を行う。
（１０）受信者は、知人の携帯電話機２０２を用いて発信者と通話する。
【００１７】
図３は、携帯電話機１０１の構成例を示している。携帯電話機１０１は、表示部３０１、入力部３０２、制御部３０３、記憶部３０４、通信部３０５、無線タグ検出部３０６、およびアンテナ３０７、３０８を備える。
【００１８】
表示部３０１は、所有者に対するメッセージ等の視覚情報を表示し、記憶部３０４は、転送先電話番号テーブルを記憶する。所有者は、入力部３０２を介して、転送先電話番号テーブルに登録する情報を入力し、携帯電話機１０１を操作する。通信部３０５は、アンテナ３０７を介して他の携帯電話機と通信し、無線タグ検出部３０６は、アンテナ３０８を介して無線タグ１０２と通信する。無線タグ１０２は、内蔵されたアンテナ３０９により、無線タグ検出部３０６からの検出信号を受信し、応答信号を無線タグ検出部３０６に送信する。
【００１９】
制御部３０３は、携帯電話機１０１全体の動作を制御する。例えば、発信者からの着信があれば、無線タグ検出部３０６に対して無線タグ１０２の検知を指示する。無線タグ１０２が検知されなければ、記憶部３０４の転送先電話番号テーブルを参照して転送先電話番号を選択し、通信部３０５を介して、転送先の携帯電話機に無線タグ１０２の検知を依頼する。そして、転送先にて無線タグ１０２が検知されれば、その携帯電話機に電話を転送する。
【００２０】
発信者の携帯電話機２０１および知人の携帯電話機２０２の構成についても、図３の携帯電話機１０１と同様である。携帯電話機２０１の制御部は、無線タグ不在を示す情報を受信すると、電話を転送する旨のメッセージを表示部に表示させる。
【００２１】
携帯電話機２０２の制御部は、携帯電話機１０１からの依頼があれば、無線タグ検出部に対して無線タグ１０２の検知を指示し、無線タグ１０２が検知されれば、通信部に対して無線タグ存在を示す情報の送信を指示する。そして、携帯電話機１０１から転送可否の問い合わせがあれば、問い合わせメッセージを表示部に表示させる。
【００２２】
図４は、記憶部３０４の転送先電話番号テーブルの構成例を示している。このテーブルには、グループ、グループ優先順位、グループ内優先順位、登録名、転送先電話番号、画面表示名、および転送機能の項目が設けられる。それぞれの項目の内容は、以下の通りである。
・グループ：携帯電話機の所有者をメンバとするグループを表す。転送先をグループ単位で設定することができる。
・グループ優先順位：グループ間の優先順位を表す。複数のグループが転送先として設定されている場合、グループ優先順位に従って転送先が選択される。
・グループ内優先順位：グループ内のメンバ間の優先順位を表す。グループ内では、グループ内優先順位に従って転送先が選択される。
・登録名：メンバのメンバ名を表す。
・転送先電話番号：メンバの転送先電話番号を表す。
・画面表示名：画面に表示されるメンバ名を表す。各種メッセージを表示する際に用いられる。
・転送機能：ＯＮは、メンバが転送先として設定されていることを表し、ＯＦＦは、メンバが転送先として設定されていないことを表す。基本的にはグループ毎にＯＮ／ＯＦＦが設定されるが、グループ内の特定のメンバをＯＦＦに設定して、転送先から除外することも可能である。この例では、グループＡおよびＢのメンバが転送先として設定されている。
【００２３】
転送先優先順位は、グループ優先順位とグループ内優先順位の組み合わせで表される。この例では、グループＡおよびＢのメンバの転送先優先順位は、下記のようになる。
転送先優先順位  グループ優先順位  グループ内優先順位  登録名
１                １                １            ａ
２                １                ２            ｂ
３                １                ３            ｃ
４                ２                １            ｄ
５                ２                ２            ｅ
６                ２                ３            ｆ
７                ２                ４            ｇ
図５は、通常モードの着信動作のフローチャートである。発信者からの着信があると、携帯電話機１０１は、無線タグ検出部３０６を起動して、無線タグ１０２の識別情報に基づく無線タグ検知動作を行い（ステップ５０１）、無線タグ１０２が検知されたか否かをチェックする（ステップ５０２）。そして、無線タグ１０２が検知されれば、通常の着信動作を行う（ステップ５０３）。受信者は、受話操作を行って、携帯電話機１０１により発信者と通話する。
【００２４】
一方、無線タグ１０２が検知されなければ、携帯電話機１０１は、不在着信動作を行う（ステップ５０４）。この場合、着信音出力またはバイブレータ動作のいずれも行わずに、不在着信があった旨を記憶部３０４に記録する。着信音出力やバイブレータ動作を行わなければ、周囲の者がどのように対応して良いか困惑することもない。その後、受信者は、携帯電話機１０１の画面表示により不在着信記録を確認する。
【００２５】
図６は、転送モードの着信動作のフローチャートである。ステップ６０１〜６０３の動作は、図５のステップ５０１〜５０３の動作と同様である。
ステップ６０２において無線タグ１０２が検知されなければ、携帯電話機１０１は、制御変数Ｎを１に設定し（ステップ６０４）、転送先電話番号テーブルを参照して、転送先
優先順位Ｎのメンバを転送先として選択する（ステップ６０５）。このとき、そのメンバの画面表示名を取得し、その画面表示名を含む無線タグ不在情報を発信者の携帯電話機２０１に送信する。携帯電話機２０１は、受信した画面表示名を含む下記のようなメッセージＭ１を画面表示する。携帯電話機１０１にも同じメッセージＭ１が画面表示される。
【００２６】
メッセージＭ１：「＜画面表示名＞へ転送中」
次に、携帯電話機１０１は、選択されたメンバの転送先電話番号を取得し、その電話番号の携帯電話機２０２に無線タグ１０２の識別情報を送信して、無線タグ検知を依頼する（ステップ６０６）。携帯電話機２０２は、無線タグ検出部を起動して、受信した識別情報に基づく無線タグ検知動作を行い、無線タグ１０２が検知されたか否かをチェックする（ステップ６０７）。このとき、携帯電話機２０１、１０１、および２０２は、それぞれ下記のようなメッセージＭ２、Ｍ３、およびＭ４を画面表示する。
【００２７】
メッセージＭ２：「＜画面表示名＞へ無線タグ確認依頼中」
メッセージＭ３：「＜画面表示名＞による無線タグ確認中」
メッセージＭ４：「受信電話機の無線タグを検索中」
そして、無線タグ１０２が検知されれば、携帯電話機２０２は、無線タグ存在情報を携帯電話機１０１に送信し、携帯電話機１０１は、携帯電話機２０２に転送可否を問い合わせる（ステップ６０８）。このとき、携帯電話機２０１および１０１は、下記のようなメッセージＭ５を画面表示する。
【００２８】
メッセージＭ５：「＜画面表示名＞により無線タグが確認できました。」
また、携帯電話機２０２は、下記のようなメッセージＭ６を画面表示し、携帯電話機２０２の所有者による操作をチェックする（ステップ６０９）。
【００２９】
メッセージＭ６：「＜１０２所有者名＞宛の転送電話を受話しますか？」
携帯電話機２０２の所有者は、転送電話を受話する場合は受話操作を行い、近くにいる携帯電話機１０１の所有者に電話を取り次ぐ。こうして、受信者は、携帯電話機２０２により発信者と通話することができる。一方、携帯電話機２０２の所有者が着信拒否の操作を行った場合、携帯電話機１０１は、転送先電話番号テーブルに基づく転送処理を終了する。
【００３０】
また、ステップ６０７において無線タグ１０２が検知されなければ、携帯電話機２０２は、無線タグ不在情報を携帯電話機１０１に送信する。そして、携帯電話機１０１は、制御変数ＮをＮ＋１に設定し（ステップ６１０）、ステップ６０５以降の動作を繰り返す。これにより、次の転送先優先順位のメンバが転送先として選択される。
【００３１】
このような転送モードの着信動作によれば、転送先電話番号テーブルに登録された転送先が優先順位に従って順番に選択され、転送可否が確認される。そして、無線タグを所持する受信者が転送先携帯電話機の近くにいる場合に、発信者からの電話がその携帯電話機に転送される。こうして、受信者は、転送先携帯電話機により発信者と通話することができる。
【００３２】
以上の実施形態では、携帯電話機の着信動作について説明したが、IP（Internet Protocol）電話機能を搭載した携帯通信端末にも、適用可能である。なお、説明中で各携帯電話機で表示されるメッセージを表示するための各携帯電話機間のメッセージ交換については、説明が煩雑になるために省略してある。
【００３３】
また、本願に開示する通信端末は、複数の転送先電話番号とそれぞれの転送先電話番号の優先順位を記憶する記憶手段をさらに備え、制御手段は、最も優先順位の高い転送先電話番号を選択して通信手段に通知し、通信手段は、通知された転送先電話番号を用いて転送先の通信端末に無線タグの検知を依頼し、該制御手段は、該転送先の通信端末から該無線タグの不在を示す情報を受信したとき、次に優先順位の高い転送先電話番号を選択して該通信手段に通知し、該通信手段は、通知された転送先電話番号を用いて別の通信端末に該無線タグの検知を依頼する。このような構成によれば、受信者と行動を共にする可能性の高い人を優先度を高く登録する働きにより、受信者へより素早くたどり着くことができるということ等が期待できる。
【００３４】
また、本願に開示する通信端末は、発信者の電話が受信者の通信端末に着信し、該受信者の通信端末から無線タグの識別情報を受信したとき、該識別情報に基づいて通信可能範囲内に該無線タグが存在するか否かを検知する無線タグ検知手段と、前記通信可能範囲内に前記無線タグが存在すれば、該無線タグの存在を示す情報を前記受信者の通信端末に送信し、前記受信者の通信端末から転送される前記発信者の電話を受信する通信手段とを備える。このような構成によれば、受信者が自分の通信端末の近くにいないときに、周りに迷惑な着信時動作（鳴動など）を防止でき、かつ受信者は他の人間が所有する近くの通信端末で受話できるということ等が期待できる。
【００３５】
本願に開示する通信端末は、受信者の通信端末から転送可否の問い合わせを受信したとき、転送可否の問い合わせメッセージを画面表示する表示手段をさらに備え、通信手段は、受話操作が行われた場合に発信者の電話を受信する。このような構成によれば、転送された電話の所有者および受信者の転送可否の確認を受ける働きにより、所有者、受信者に配慮した着信動作を行う事ができるということ等が期待できる。
【図面の簡単な説明】
【００３６】
【図１】無線タグが近くにある場合の着信動作を示す図である。
【図２】無線タグが遠くにある場合の着信動作を示す図である。
【図３】携帯電話機の構成図である。
【図４】転送先電話番号テーブルを示す図である。
【図５】通常モードの着信動作のフローチャートである。
【図６】転送モードの着信動作のフローチャートである。
【符号の説明】
【００３７】
１０１、２０１、２０２  携帯電話機
１０２  無線タグ
２１１、２１２  通信可能範囲
３０１  表示部
３０２  入力部
３０３  制御部
３０４  記憶部
３０５  通信部
３０６  無線タグ検出部
３０７、３０８、３０９  アンテナ
【図３】
0005211789.tif 000002
【図４】
0005211789.tif 000003
【図５】
0005211789.tif 000004
【図６】
0005211789.tif 000005
【図１】
0005211789.tif 000006
【図２】
0005211789.tif 000007